(57)【特許請求の範囲】
【請求項１】
扉本体を構成する表面材の室外側となる見付け面を覆う化粧材と、上下両端部にそれぞれハンドル取付部を有した縦長形状のハンドルとを備え、前記ハンドル取付部が前記化粧材の表面に当接した状態で、前記表面材及び前記化粧材のそれぞれに設けたハンドル取付孔を介して前記扉本体にハンドルを取り付けた扉体において、
前記化粧材は、前記表面材に向けて突出し、かつ上下に連続する当接ヒレ部を有し、当接ヒレ部の屈曲した突出端部を介して前記表面材に取り付けられ、
前記ハンドル取付孔の左右両側となる部位にはそれぞれ前記当接ヒレ部が配置され、
前記表面材と前記化粧材との間において前記ハンドル取付孔よりも上方となる部位及び前記ハンドル取付孔よりも下方となる部位にのみ熱膨張性部材が配設され、
前記熱膨張性部材は、一方の当接ヒレ部から他方の当接ヒレ部にわたる部位に配設され、
前記ハンドル取付孔の周囲が、それぞれ上下の熱膨張性部材及び左右の当接ヒレ部によって囲まれていることを特徴とする扉体。
【請求項２】
前記熱膨張性部材は、前記表面材の表面に取り付けたことを特徴とする請求項１に記載の扉体。
【請求項３】
請求項１または請求項２記載した扉体と、前記化粧材が室外側となる状態で前記扉体を開閉可能に支持する枠体とを備えたことを特徴とする建具。
【発明の詳細な説明】
【技術分野】
【０００１】
本発明は、扉体及び建具に関するもので、特に、扉本体の表面に化粧材を備えた扉体の防火構造に関する。
【背景技術】
【０００２】
玄関ドア等の建具には、扉本体の表面を化粧材によって覆うようにしたものが提供されている。扉本体は、四周枠組みした骨材の表裏両面をそれぞれ金属の薄板から成る表面材によって覆うようにしたものである。表面材の相互間には、発泡ウレタン等の断熱材が配設してある。化粧材は、例えばアルミニウム合金によって成形した押し出し形材である。化粧材の表面には、凹凸等の立体的な造形が施されたり、樹脂フィルムによって装飾が施されている。この種の建具によれば、化粧材の造形や装飾が扉本体の表面に現れることになり、扉体の外観品質を向上することができる（例えば、特許文献１参照）。
【先行技術文献】
【特許文献】
【０００３】
【特許文献１】特開２００３−１３８８５５号公報
【発明の概要】
【発明が解決しようとする課題】
【０００４】
この種の建具に適用される化粧材は、外部に露出する外装面材部分と、外装面材部分から突出した当接ヒレ部とを有し、当接ヒレ部を介して表面材の表面に当接するように構成されている。こうした化粧材によれば、当接ヒレ部の突出寸法を変更することで、表面材の表面からの突出寸法を変更することができるようになる。従って、例えば、表面材の表面からの突出寸法が大きくなるように化粧材を設ける場合にも、外装面材部分の板厚を増大する必要がなく、化粧材の成形を容易化できるとともに、扉体の製造コストを抑えることができる。
【０００５】
しかしながら、扉体の防火性を考慮した場合、必ずしも好ましいとはいえない。すなわち、扉本体にハンドルを取り付ける場合には、化粧材及び表面材にハンドル取付孔を形成する必要がある。化粧材を取り付けていない扉本体であれば、ハンドルを取り付けた際にハンドル取付部によって表面材のハンドル取付孔が塞がれることになり、問題を生じることはない。これに対して、化粧材を介してハンドルを取り付けた場合には、ハンドル取付部によって化粧材のハンドル取付孔は塞ぐことができるが、表面材のハンドル取付孔が開放されたままとなる。この結果、例えば火災発生時において扉体の室内側が高温状態に晒された場合には、扉本体の断熱材から発生した可燃性ガスや火炎がハンドル取付孔を貫通して室外側に至るおそれがある。
【０００６】
こうした問題は、化粧材を貫通するようにハンドルを取り付ければ解決することが可能である。すなわち、化粧材にハンドル取付部を通過させることのできる貫通孔を形成すれば、ハンドル取付部によって表面材のハンドル取付孔を塞ぐことが可能となり、扉体の室内側が高温状態に晒された場合にも可燃性ガスや火炎が室外側に貫通する事態を防止することができる。しかしながら、上記のようにしてハンドルを取り付けた場合には、化粧材の貫通孔が外部に露出することになり、外観品質を向上するという初期の目的が損なわれることとなる。
【０００７】
本発明は、上記実情に鑑みて、外観品質を損なうことなく防火性を向上することのできる扉体及び建具を提供することを目的とする。
【課題を解決するための手段】
【０００８】
上記目的を達成するため、本発明に係る扉体は、扉本体を構成する表面材の室外側となる見付け面を覆う化粧材と、上下両端部にそれぞれハンドル取付部を有した縦長形状のハンドルとを備え、前記ハンドル取付部が前記化粧材の表面に当接した状態で、前記表面材及び前記化粧材のそれぞれに設けたハンドル取付孔を介して前記扉本体にハンドルを取り付けた扉体において、前記化粧材は、前記表面材に向けて突出し、かつ上下に連続する当接ヒレ部を有し、当接ヒレ部の屈曲した突出端部を介して前記表面材に取り付けられ、前記ハンドル取付孔の左右両側となる部位にはそれぞれ前記当接ヒレ部が配置され、前記表面材と前記化粧材との間において前記ハンドル取付孔よりも上方となる部位及び前記ハンドル取付孔よりも下方となる部位にのみ熱膨張性部材が配設され、前記熱膨張性部材は、一方の当接ヒレ部から他方の当接ヒレ部にわたる部位に配設され、前記ハンドル取付孔の周囲が、それぞれ上下の熱膨張性部材及び左右の当接ヒレ部によって囲まれていることを特徴とする。
【０００９】
この発明によれば、例えば火災発生時において扉体が高温状態に晒された場合、膨張した熱膨張性部材によってハンドル取付孔の縁部において表面材と化粧材との間の隙間が塞がれることになり、扉本体の内部から発生した可燃性ガスや火炎がハンドル取付孔を貫通して室外側に至るおそれがなくなる。
【００１３】
この発明によれば、ハンドル取付孔の両側に化粧材の当接ヒレ部が存在する場合には当接ヒレ部の相互間にのみ熱膨張性部材を配設することでも表面材と化粧材との間の隙間を塞ぐことができる。
【００１４】
また本発明は、上述した扉体において、前記熱膨張性部材は、前記表面材の表面に取り付けたことを特徴とする。
【００１５】
この発明によれば、塞ぐべき表面材のハンドル取付孔に対して熱膨張性部材を容易に、かつ正確に位置決めすることができ、両者の位置ずれに起因して可燃性ガスや火炎が貫通する事態を招来するおそれがない。
【００１６】
また本発明に係る建具は、上述したいずれかひとつの扉体と、前記化粧材が室外側となる状態で前記扉体を開閉可能に支持する枠体とを備えたことを特徴とする。
【００１７】
この発明によれば、例えば火災発生時において扉体が高温状態に晒された場合、膨張した熱膨張性部材によってハンドル取付孔の縁部において表面材と化粧材との間の隙間が塞がれることになり、扉本体の内部から発生した可燃性ガスや火炎がハンドル取付孔を貫通して室外側に至るおそれがなくなる。
【発明の効果】
【００１８】
本発明によれば、例えば火災発生時において扉体が高温状態に晒された場合、膨張した熱膨張性部材によってハンドル取付孔の縁部において表面材と化粧材との間の隙間が塞がれることになり、扉本体の内部から発生した可燃性ガスや火炎がハンドル取付孔を貫通して室外側に至るおそれがなくなる。これにより、外観品質を損なうことなく防火性を向上することが可能となる。
【図面の簡単な説明】
【００１９】
【図１】図１は、本発明の実施の形態１である扉体を適用した建具を室外側から見た図である。
【図２】図２は、図１に示した建具の縦断面図である。
【図３】図３は、図１に示した建具の横断面図である。
【図４】図４は、図１に示した建具の要部を示す拡大横断面図である。
【図５】図５は、図１に示した建具の扉体の要部拡大縦断面図である。
【図６】図６は、図１に示した建具の要部を分解して示す縦断面図である。
【図７】図７は、図１に示した建具に適用する扉体の要部分解斜視図である。
【図８】図８は、図１に示した建具の扉体を分解して示すもので、（ａ）は表面材の要部拡大図、（ｂ）は化粧材の要部拡大図である。
【図９】図９は、図１に示した建具の要部を室外側から見た拡大図である。
【図１０】図１０は、本発明の実施の形態２である扉体を適用した建具を室外側から見た図である。
【図１１】図１１は、図１０に示した建具の要部拡大横断面図である。
【図１２】図１２は、図１０に示した建具に適用する扉体の要部分解斜視図である。
【図１３】図１３は、図１０に示した建具の要部を室外側から見た拡大図である。
【発明を実施するための形態】
【００２０】
以下、添付図面を参照しながら本発明に係る扉体及び建具の好適な実施の形態について詳細に説明する。なお、以下においては便宜上、見込み方向、見付け方向という用語を適宜使用して説明を行う。見込み方向とは、図２及び図３中の矢印Ａで示すように、建具の奥行きに沿った方向のことである。見込み方向に沿った平面については、見込み面と称する場合がある。また、見付け方向とは、上枠や下枠等のように水平に沿った部材の場合、見込み方向に直交した上下に沿う方向であり、縦枠等のように上下に沿った部材の場合、見込み方向に直交した水平に沿う方向である。見付け方向に沿った平面については、見付け面と称する場合がある。
【００２１】
（実施の形態１）
図１〜図４は、本発明の実施の形態１である扉体を適用した建具を示したものである。ここで例示する建具は、家屋の玄関に用いられるもので、枠体１０と、ヒンジ１を介して枠体１０に開閉可能に支持した扉体２０とを備えている。枠体１０は、上枠１１、下枠１２及び左右の縦枠１３を四周枠組みすることによって矩形状に構成したものである。枠体１０を構成するそれぞれの枠１１，１２，１３は、アルミニウム合金等の金属によって成形した押し出し形材であり、全長にわたってほぼ一様な断面形状を有している。
【００２２】
扉体２０は、四周枠組みした骨材２１の表裏両面にそれぞれ表面材２２を配設することによって構成した扉本体２１２と、扉本体２１２において室外に臨む見付け面に取り付けた化粧材２３とを備えたものである。骨材２１は、スチール等の金属によって成形したもので、個々の端部を互いに連結することによって枠状に構成してある。表面材２２は、スチール等の金属によって成形した矩形の薄板状部材であり、四辺の縁部がそれぞれ同一方向に向けてほぼ直角に屈曲している。それぞれの表面材２２は、屈曲した部分が骨材２１の見込み面を覆う状態で骨材２１の表裏両面に配設し、屈曲した部分を介して骨材２１に接合してある。表面材２２の相互間には、断熱材２４が配設してある。
【００２３】
化粧材２３は、アルミニウム合金等の金属によって押し出し形材であり、外装面材部分２３ａと、複数の当接ヒレ部２３ｂとが一体に成形してある。外装面材部分２３ａは、扉体２０の表面に現れる平板状部分である。当接ヒレ部２３ｂは、外装面材部分２３ａの両側縁部及び裏面から突出した薄板状部分である。当接ヒレ部２３ｂの突出端部は、それぞれ略直角に屈曲し、外装面材部分２３ａとほぼ平行となるように延在している。当接ヒレ部２３ｂの突出寸法は、すべて同一である。本実施の形態１では、図１に示すように、長手が左右に沿った複数枚の化粧材２３を上下に並設することによって扉本体２１２の室外に臨む見付け面をすべて覆うようにしている。扉本体２１２に化粧材２３を取り付ける方法としては、図５に示すように、例えば当接ヒレ部２３ｂの屈曲した突出端部を両面テープ２５によって表面材２２の表面に貼り付ければ良い。
【００２４】
この扉体２０には、室外に臨む見付け面に室外用ハンドル３０が配設してある。室外用ハンドル３０は、図６に示すように、上下両端部にそれぞれハンドル取付部３１，３２を有し、これらハンドル取付部３１，３２の間を把持部３３によって連結したものである。図には明示していないが、把持部３３は、ハンドル取付部３１，３２に対して操作移動可能に配設してある。
【００２５】
上方のハンドル取付部３１には、上下２つのボス部３４が設けてあるとともに、ボス部３４の間にリンク出力部３５が設けてあり、下方のハンドル取付部３２には、上下２つのボス部３４が設けてある。ボス部３４は、ハンドル取付部３１，３２の座面３１ａ，３２ａから突出した円柱状部分である。図には明示していないが、個々のボス部３４には、先端面に開口するようにネジ孔が設けてある。リンク出力部３５は、ハンドル取付部３１，３２に対して把持部３３が操作移動された場合に動作するように構成した出力部分である。
【００２６】
上述の構成を有する室外用ハンドル３０は、扉本体２１２の内部に錠ケース３００（図３参照）を収容させた状態で、化粧材２３に設けたハンドル取付孔２３Ａ及び表面材２２に設けたハンドル取付孔２２Ａを介して扉体２０に取り付けてある。具体的には、図７〜図９に示すように、表面材２２及び化粧材２３に上部ハンドル取付孔２２Ａ１，２３Ａ１、ボス挿通孔２２Ａ２，２３Ａ２及び下部ハンドル取付孔２２Ａ３，２３Ａ３を形成するようにしている。表面材２２については、室外側に配置されるもののみならず、室内側に配置されるものにも上部ハンドル取付孔２２Ａ１、ボス挿通孔２２Ａ２及び下部ハンドル取付孔２２Ａ３を形成するようにしている。
【００２７】
上部ハンドル取付孔２２Ａ１，２３Ａ１は、上方のハンドル取付部３１から突出する２つのボス部３４及びリンク出力部３５を挿通させるための開口である。本実施の形態１では、縦長矩形状を成し、上辺及び下辺にそれぞれ半円形状の切欠２２Ａ１ａ，２３Ａ１ａを有した上部ハンドル取付孔２２Ａ１，２３Ａ１を設けるようにしている。半円形状の切欠２２Ａ１ａ，２３Ａ１ａは、２つのボス部３４が挿通する部分であり、その間の矩形状部分がリンク出力部３５が挿通する部分である。ボス挿通孔２２Ａ２，２３Ａ２は、下方のハンドル取付部３２において上方から突出するボス部３４が挿通する円形の切欠である。
【００２８】
下部ハンドル取付孔２２Ａ３，２３Ａ３は、下方のハンドル取付部３２から突出するボス部３４及び図示せぬケーブルを挿通させるための開口である。ケーブル（図示せず）は、室外用ハンドル３０と錠ケース３００（図３参照）との間を接続するものである。本実施の形態１では、矩形状を成す下部ハンドル取付孔２２Ａ３，２３Ａ３を設けるようにしている。これら上部ハンドル取付孔２２Ａ１，２３Ａ１、ボス挿通孔２２Ａ２，２３Ａ２及び下部ハンドル取付孔２２Ａ３，２３Ａ３は、いずれも室外用ハンドル３０を取り付けた場合に、ハンドル取付部３１，３２によって覆い隠されるようにその位置及び寸法が設定してある。化粧材２３に上部ハンドル取付孔２３Ａ１及び下部ハンドル取付孔２３Ａ３を設ける場合には、予め該当部分の当接ヒレ部２３ｂを切除しておくことが好ましい。なお、図中の符号２２Ａ４，２３Ａ４は、シリンダ錠（図示せず）を配設するための円形状を成す錠挿通孔である。
【００２９】
さらに、室外側に配置される表面材２２には、上部ハンドル取付孔２２Ａ１を取り囲む部位に加熱発泡材（熱膨張性部材）４０が貼り付けてあるとともに、下部ハンドル取付孔２２Ａ３及び下方の錠挿通孔２２Ａ４を取り囲む部位に加熱発泡材４０が貼り付けてある。加熱発泡材４０は、膨張黒鉛等のように、温度が上昇した場合に膨張する不燃性または難燃性材料から成る部材である。本実施の形態１では、帯状に形成した加熱発泡材４０を矩形状に貼り付けることにより、上部ハンドル取付孔２２Ａ１を隙間なく取り囲むとともに、下部ハンドル取付孔２２Ａ３及び下方の錠挿通孔２２Ａ４を隙間なく取り囲むようにしている。加熱発泡材４０としては、扉本体２１２の内部に配設した断熱材２４が溶融して可燃性ガスが発生する以前の温度で発泡するものを適用するのが好ましい。
【００３０】
上述の扉体２０に室外用ハンドル３０を取り付けるには、図６に示すように、室内に配置される表面材２２の表面に上部ハンドル取付孔２２Ａ１及び下部ハンドル取付孔２２Ａ３を覆うようにカバープレート２６，２７を配設するとともに、上部ハンドル取付孔２２Ａ１に錠カバー４１を配設する。カバープレート２６，２７は、上部ハンドル取付孔２２Ａ１及び下部ハンドル取付孔２２Ａ３よりも大きな外形形状を有した金属製の厚板部材であり、室外用ハンドル３０のボス部３４に対応する部位にそれぞれボス部３４よりも細径のネジ挿通孔２６ａ，２７ａを有している。図には明示していないが、カバープレート２６，２７において表面材２２に対向する面には、シール材が貼り付けてある。
【００３１】
錠カバー４１は、図７に示すように、矩形状を成す基板４１ａの四周にそれぞれ周壁部４１ｂを有した金属製の箱状部材であり、周壁部４１ｂの内表面にそれぞれ加熱発泡材４２が貼り付けてある。基板４１ａは、上部ハンドル取付孔２２Ａ１に収容可能となる寸法に形成したもので、室外用ハンドル３０のボス部３４及びリンク出力部３５を通過させる切欠４１ｃを有している。両側の周壁部４１ｂには、互いに離反する方向に向けて屈曲したフランジ部４１ｄが設けてある。
【００３２】
この状態で化粧材２３及び室外側に配置される表面材２２の上部ハンドル取付孔２３Ａ１，２２Ａ１、ボス挿通孔２３Ａ２，２２Ａ２及び下部ハンドル取付孔２３Ａ３，２２Ａ３にそれぞれ室外用ハンドル３０のボス部３４及びリンク出力部３５を挿通させ、カバープレート２６，２７のネジ挿通孔２６ａ，２７ａを介してそれぞれのボス部３４に取付ネジ３６を螺合させれば、ハンドル取付部３１，３２が化粧材２３の外装面材部分２３ａに当接した状態で室外用ハンドル３０が扉体２０に取り付けられることになる。なお、扉本体２１２の室内側には、カバープレート２６，２７を介して室内用ハンドル５０が取り付けられている。
【００３３】
ここで、室内側に配置される表面材２２においては、上部ハンドル取付孔２２Ａ１及び下部ハンドル取付孔２２Ａ３がそれぞれカバープレート２６，２７によって塞がれた状態にあり、ボス挿通孔２２Ａ２がボス部３４に螺合する取付ネジ３６によって塞がれた状態となる。また、化粧材２３に設けた上部ハンドル取付孔２３Ａ１及び下部ハンドル取付孔２３Ａ３は、ハンドル取付部３１，３２によって塞がれており、外部に開口することはない。さらに、錠挿通孔２２Ａ４，２３Ａ４については、シリンダ錠（図示せず）が配設されるため、ほぼ塞がれた状態となる。
【００３４】
これに対して室外側に配置される表面材２２にあっては、化粧材２３の外装面材部分２３ａと表面材２２との間に当接ヒレ部２３ｂによって隙間が生じるため、室外用ハンドル３０を取り付けた状態であっても、上部ハンドル取付孔２２Ａ１及び下部ハンドル取付孔２２Ａ３が開放されたままとなる。このため、例えば火災発生時において扉体２０の室内側が高温状態に晒された場合には、扉本体２１２の断熱材２４から発生した可燃性ガスや火炎が表面材２２の上部ハンドル取付孔２２Ａ１や下部ハンドル取付孔２２Ａ３を貫通して室外側に至るおそれがある。
【００３５】
しかしながら、この建具によれば、表面材２２において上部ハンドル取付孔２２Ａ１を取り囲む部位及び下部ハンドル取付孔２２Ａ３を取り囲む部位にそれぞれ加熱発泡材４０を貼り付けるようにしている。従って、扉体２０が高温状態となった場合、加熱発泡材４０が膨張することで、上部ハンドル取付孔２２Ａ１の周囲及び下部ハンドル取付孔２２Ａ３の周囲においては、化粧材２３と表面材２２との隙間が塞がれることになる。つまり、室外側に配置される表面材２２においては、膨張した加熱発泡材４０及び化粧材２３の外装面材部分２３ａによって上部ハンドル取付孔２２Ａ１及び下部ハンドル取付孔２２Ａ３が塞がれた状態となる。これにより、扉本体２１２の断熱材２４から発生した可燃性ガスや火炎が室外側に至る事態を招来するおそれがなく、防火性を向上することができる。しかも、化粧材２３に設けたハンドル取付孔２３Ａは、ハンドル取付部３１，３２によって塞がれるため、扉体２０の外観品質が損なわれるおそれもない。
【００３６】
なお、上述した実施の形態１では、ハンドル取付孔２２Ａの周囲全周に連続して加熱発泡材４０を配設するようにしているが、必ずしもこれに限定されず、発泡した際にハンドル取付孔の周囲を取り囲めれば、断続的に加熱発泡材４０を配設するようにしても構わない。
【００３７】
（実施の形態２）
図１０及び図１１は、本発明の実施の形態２である扉体を適用した建具を示したものである。ここで例示する建具は、実施の形態１と同様、家屋の玄関に用いられるもので、実施の形態１とは扉本体に対する化粧材の配置態様及び加熱発泡材の配設態様が異なる。以下、実施の形態１と異なる構成について詳述し、実施の形態１と同様の構成については同一の符号を付して詳細説明を省略する。
【００３８】
同図に示すように、実施の形態２の扉体１２０では、長手が上下に沿った複数枚の化粧材２３を左右に並設することによって扉本体２１２の室外に臨む見付け面をすべて覆うようにしている。化粧材２３については、実施の形態１と同様、アルミニウム合金等の金属によって押し出し形材であり、外装面材部分２３ａと、当接ヒレ部２３ｂとが一体に成形してある。
【００３９】
もっとも戸先となる部分に配設した化粧材２３は、図１２及び図１３に示すように、室外側に配置した表面材２２の上部ハンドル取付孔２２Ａ１、ボス挿通孔２２Ａ２及び下部ハンドル取付孔２２Ａ３が当接ヒレ部２３ｂの相互間に位置するように扉本体２１２に取り付けてある。
【００４０】
室外側に配置される表面材２２には、上方の錠挿通孔２２Ａ４よりも上方となる部位及び上部ハンドル取付孔２２Ａ１よりも下方となる部位にそれぞれ左右方向に沿って加熱発泡材（熱膨張性部材）４０が貼り付けてあるとともに、下方の錠挿通孔２２Ａ４よりも上方となる部位及び下部ハンドル取付孔２２Ａ３よりも下方となる部位にそれぞれ左右方向に沿って加熱発泡材４０が貼り付けてある。それぞれの加熱発泡材４０は、膨張黒鉛等のように、温度が上昇した場合に膨張する不燃性または難燃性材料から成る部材である。本実施の形態２では、帯状に形成した加熱発泡材４０を一方の当接ヒレ部２３ｂから他方の当接ヒレ部２３ｂにわたる部位までの間に連続して貼り付けるようにしている。加熱発泡材４０としては、扉本体２１２の内部に配設した断熱材２４が溶融して可燃性ガスが発生する以前の温度で発泡するものを適用するのが好ましい。
【００４１】
この建具においても、室外側に配置される表面材２２にあっては、化粧材２３の外装面材部分２３ａと表面材２２との間に当接ヒレ部２３ｂによって隙間が生じるため室外用ハンドル３０を取り付けた状態であっても、上部ハンドル取付孔２２Ａ１及び下部ハンドル取付孔２２Ａ３が開放されたままとなる。
【００４２】
しかしながら、上述の建具によれば、当接ヒレ部２３ｂの相互間において上方の錠挿通孔２２Ａ４よりも上方となる部位及び上部ハンドル取付孔２２Ａ１よりも下方となる部位に加熱発泡材４０が貼り付けてあるとともに、下方の錠挿通孔２２Ａ４よりも上方となる部位及び下部ハンドル取付孔２２Ａ３よりも下方となる部位にそれぞれ左右方向に沿って加熱発泡材４０が貼り付けてある。従って、扉体１２０の室内側が高温状態となった場合、加熱発泡材４０が膨張することで、上部ハンドル取付孔２２Ａ１の上下において化粧材２３と表面材２２との隙間が塞がれるとともに、下部ハンドル取付孔２２Ａ３の上下において化粧材２３と表面材２２との隙間が塞がれることになる。上部ハンドル取付孔２２Ａ１の左右及び下部ハンドル取付孔２２Ａ３の左右には、それぞれ化粧材２３と表面材２２の表面との間を閉塞するように当接ヒレ部２３ｂが設けられている。これにより、室外側に配置される表面材２２においては、膨張した加熱発泡材４０、化粧材２３の当接ヒレ部２３ｂ及び外装面材部分２３ａによって上部ハンドル取付孔２２Ａ１及び下部ハンドル取付孔２２Ａ３が塞がれた状態となる。従って、扉本体２１２の断熱材２４から発生した可燃性ガスや火炎が室外側に至る事態を招来するおそれがなく、防火性を向上することができる。しかも、化粧材２３に設けたハンドル取付孔２３Ａは、ハンドル取付部３１，３２によって塞がれるため、扉体１２０の外観品質が損なわれるおそれもない。
【００４３】
なお、上述した実施の形態１及び実施の形態２では、いずれも上部ハンドル取付孔２２Ａ１に加熱発泡材４２を備えた錠カバー４１を配設するようにしているため、火災発生時においては錠カバー４１の加熱発泡材４２によって表面材２２の上部ハンドル取付孔２２Ａ１が塞がれることになり、防火性をより確実に向上させることが可能である。しかしながら、本発明では必ずしも錠カバー４１を配設する必要はない。
【００４４】
また、上述した実施の形態１及び実施の形態２では、いずれも加熱発泡材４０を表面材２２の表面に貼り付けるようにしているため、ハンドル取付孔２２Ａ，２３Ａに対して正確な位置に加熱発泡材４０を貼り付けることが可能となるが、加熱発泡材４０は表面材２２に貼り付ける必要はなく、表面材２２と化粧材２３との間に配設すれば良く、例えば化粧材２３に加熱発泡材４０を貼り付けるようにしても構わない。
【符号の説明】
【００４５】
１０  枠体、２０，１２０  扉体、２２  表面材、２２Ａ，２３Ａ  ハンドル取付孔、２３  化粧材、２３ａ  外装面材部分、２３ｂ  当接ヒレ部、３０  室外用ハンドル、３１，３２  ハンドル取付部、４０  加熱発泡材、２１２  扉本体
【図１】
0006654930.tif 000002
【図２】
0006654930.tif 000003
【図３】
0006654930.tif 000004
【図４】
0006654930.tif 000005
【図５】
0006654930.tif 000006
【図６】
0006654930.tif 000007
【図７】
0006654930.tif 000008
【図８】
0006654930.tif 000009
【図９】
0006654930.tif 000010
【図１０】
0006654930.tif 000011
【図１１】
0006654930.tif 000012
【図１２】
0006654930.tif 000013
【図１３】
0006654930.tif 000014